(57)【要約】  本発明は第１及び第２コンタクトを受容するハウジング（２）と、解放位置と第１コンタクトのための錠止位置との間で移動し得る、第１コンタクトのための第１錠止デバイス（５）と、解放位置と第２コンタクトのための錠止位置との間で移動し得る、第２コンタクトのための第２錠止デバイス（６）と、を備え、前記第１錠止デバイス（５）が第１コンタクトのための錠止位置にないときに第２錠止デバイス（６）の移動を阻止する手段も備える。
2007517362.tif 000002
【特許請求の範囲】
【請求項１】
電気コネクター要素（１）であって、第１コンタクト（３）及び第２コンタクト（４）を受容するためのハウジング（２）と、解放位置と第１コンタクト（３）のための錠止位置との間で移動し得る、前記第１コンタクト（３）のための第１錠止デバイス（５）と、
解放位置と第２コンタクト（４）のための錠止位置との間で移動し得る、前記第２コンタクト（３）のための第２錠止デバイス（６）と、を備える電気コネクター要素（１）において、
前記第１錠止デバイス（５）が第１コンタクト（３）のための錠止位置にないときに第２錠止デバイス（６）の移動を阻止する手段（７、８）を備えることを特徴とする電気コネクター装置（１）。
【請求項２】
第１錠止デバイス（５）が、
前記ハウジング内の第１ハウジング（３）の挿入方向を横切る、前記第１コンタクトを保持するための指部（１０）を設けたロータリーフラップ（９）と、
前記後部に向けて方向づけられた、第２コンタクト（４）を保持するための要素（１２）を設けた前部グリッド（１１）を備える第２錠止デバイス（４）と、
を備えることを更なる特徴とする、請求項１に記載の電気コネクター要素。
【請求項３】
前記阻止手段が、第２錠止デバイス（６）の一部であり、かつ、第２錠止デバイス（６）の前記解放位置から第２コンタクト（４）のための前記錠止位置に向かう移動に抗するアーム（８）の経路に位置づけられた前記ハウジングに結合された少なくとも１つのストッパー要素（７）を備えることを更なる特徴とする、請求項１または請求項２に記載の電気コネクター要素。
【請求項４】
アーム（８）は曲げ可能であり、かつ、前記ストッパー要素の相補輪郭と互いに錠止し合う第１輪郭（１４）と、前記アームが曲げられた後で、ストッパー要素（７）に対して摺動させることによって解放させるための輪郭を形成する第２輪郭（１５）と、を形成した小突起部（１３）を装備することを更なる特徴とする、請求項３に記載の電気コネクター要素。
【請求項５】
第１錠止デバイス（５）は、ストッパー要素（７）の少なくとも一部の正面に位置づけられ、かつ、第１錠止デバイス（５）が第１コンタクト（３）のための錠止位置にあるときに、アーム（８）を曲げることによって、第２錠止デバイス（６）の自身の錠止位置に向かう移動を可能にする肩部（１６）を備えることを更なる特徴とする、請求項３または請求項４に記載の電気コネクター。
【請求項６】
一度、グリッド（１１）が第２コンタクト（４）を錠止するための自身のセットバック位置に位置すると、アーム（８）及びストッパー要素（７）はアーム（８）の後部傾斜表面（３１）と、ストッパー要素（７）の後部傾斜表面（３０）と、が協働することによって前記グリッドをセットバック位置に保持するように、前記アーム及び前記ストッパー要素が後部傾斜表面（３０、３１）を備えることを更なる特徴とする、請求項３から請求項５までのいずれか１項に記載の電気コネクター要素。
【請求項７】
錠止位置における第２錠止デバイス（６）は第１錠止デバイス（５）が自身の錠止位置から第１コンタクト（３）のための自身の解放位置に向かう移動を阻止するための要素（１７）を備えることを更なる特徴とする、請求項１から請求項６までのいずれか１項に記載の電気コネクター要素。
【請求項８】
第２錠止デバイス（６）によって担持され、かつ第１錠止デバイス（５）の一部である凹所（１８）内に受容される部片から構成されることを更なる特徴とする、請求項７に記載の電気コネクタエレメント。
【請求項９】
凹所（１８）は弾性ラッチ掛け要素（１９）の一部を構成することを更なる特徴とする、請求項８に記載の電気コネクター要素。
【発明の詳細な説明】
【技術分野】
【０００１】
本発明は、電気コネクター用コンタクト錠止デバイスに関する。
【背景技術】
【０００２】
コンタクトでラッチ掛けするか又はコンタクトに対する第１保持コンポーネントでラッチ掛けすることによって、電気コンタクトを錠止するシステムを設けた、絶縁ハウジング担持コンタクトを提供することは、自動車コネクター技術の分野では特に知られている。
【０００３】
これらの錠止システムは、これらの錠止システムがコネクターソケット内のコンタクトをラッチ掛け及び保持することを保証する場合の第１錠止システムとし得るか、あるいは、これらの錠止システムが第１錠止システムを補足し、かつ更なる錠止保全性又は更なる抵抗を導入する場合の第２錠止システムとし得る。
【０００４】
錠止デバイスは更なる保全性、すなわち、不完全に挿入されたか又は不完全にラッチ掛けされたコンタクトの検出をするといった、更なる保全性を提供しなければならず、及び、特に、コンタクトが不完全に挿入された及び／又は錠止デバイスが錠止されていない場合に、相補コネクターの連結を阻止しなければならない。
【発明の開示】
【発明が解決しようとする課題】
【０００５】
本発明は電気コンタクトをコネクターハウジング内に錠止するデバイスを改良することを課題とするものであり、かつ、異なる錠止デバイスを具備するコンタクト−ホルダハウジング内のコンタクトを保持するデバイスを有する。錠止デバイスは不完全にラッチ掛けされたコンタクトの検出を可能にすることを更に要求される。
【課題を解決するための手段】
【０００６】
これを行うために、本発明は、主に、解放位置と第１コンタクトのための錠止位置との間で移動し得る、第１コンタクトに対する第１錠止デバイスと、解放位置と第２コンタクトの錠止位置との間で移動し得る、第２コンタクトのための第２錠止デバイスと、を設けた、第１及び第２コンタクトを受容するハウジングを備える電気コネクター要素に関する。電気コネクター要素は、第１錠止デバイスが錠止位置にない場合に第２錠止デバイスの移動を阻止する手段を備える。
【０００７】
第１コンタクトを錠止且つ保持する第１デバイスが、第１コンタクトをハウジング内に挿入する方向に対して横断する指部で回転フラップを担持するように、コネクター要素を構成し得る一方で、第２錠止デバイスが後部に向けて導かれた第２コンタクトを保持する要素を設けた正面グリッドを備えることは留意すべきである。
【０００８】
特定の実施形態では、阻止手段は、第２錠止デバイスの一部であり、かつ第２錠止デバイスの解放位置から第２コンタクトのための錠止位置までの移動に抗するアームの経路に位置づけられたハウジングと一部片になされた、少なくとも１つのストッパー要素を備え得る。
【０００９】
アームは曲げ易いアームとし得ると有利である。ストッパー要素の相補輪郭と互いに錠止し合う第１輪郭と、アームを曲げた後でストッパー要素に対して摺動させることによって解放させる輪郭を構成する第２輪郭と、を設けた小突出部を装備した可撓性アームとし得るのが有利である。
【００１０】
コンタクトに対する錠止位置における第１錠止デバイスは、ストッパー要素の少なくとも部分的に正面に位置づけられるか又は該ストパー要素の少なくとも一部の正面に位置づけられ、及び、アームを曲げることによって、第２錠止デバイスの自身の錠止位置に向かう移動を可能にする肩部を備える。
【００１１】
本発明の１つの有利な実施形態によれば、ひとたび、グリッドが第２コンタクトを錠止するセットバック位置内にあるようになると、アームの後部傾斜表面とストッパー要素の後部傾斜表面とが協働することによって、アーム及びストッパー要素がグリッドをセットバック位置に保持するように、アーム及びストパー要素は傾斜した後部表面を備える。
【００１２】
有利なことに、錠止位置における第２錠止デバイスは、第１錠止デバイスが自身の錠止位置から、第１コンタクトのための自身の解放位置まで移動するのを阻止する要素を備える。
【００１３】
移動を阻止するデバイスは留意すべきことに第２錠止デバイスによって担持され、かつ第１錠止デバイスの一部であるハウジング内に受容される部片から構成し得る。
【００１４】
ハウジングは留意すべきことに弾性ラッチ掛け要素の一部とし得る。
【００１５】
本発明の他の特徴及び利点は図面を参照した本発明の非限定的な実施形態に続く記載を読めばより良く理解される。
【発明を実施するための最良の形態】
【００１６】
図１ａは、接触端子を再位置決めし且つ錠止するためのグリッド１１を設けた電気コネクター要素１を示す。図１ｂは、相補コネクター要素に面するコネクター要素を示す。
【００１７】
図２に断面で示す電気コネクター要素１は、第１コンタクト３及び第２コンタクト４を受容するソケット２１及び２２を設けたハウジング２を備える。第１コンタクト３は、例示によれば、ハウジングのパーティション２４に当接し、かつハウジングからの自身の引き抜きの方向にコンタクト３を保持する金属錠止突出部２３を設けたコンタクトである。
【００１８】
ハウジングには第１コンタクト３を錠止する第１デバイス５が設けられる。この第１錠止デバイスは、例示によれば、ヒンジ２５によってハウジングに連結された回転フラップ９の形態をしており、解放位置と前記第１コンタクト３のための錠止位置との間で移動し得る。第１コンタクト３を錠止するために、フラップには、第１コンタクト３のためのハウジング挿入方向に対して直角に横切る方向すなわち横断方向に、第１コンタクト３を保持且つ錠止し、及びコンタクト３の肩部２６で静止する指部１０が設けられる。
【００１９】
ハウジングは、内部に錠止タブ２８がラッチ掛けされるスリット２７を備え、かつハウジングからこれらのコンタクトを引き抜く方向に第２コンタクト４を保持するコンタクトである第２コンタクト４を受容する。
【００２０】
図示した例示によれば、第１及び第２コンタクトは端末コンタクトである。
【００２１】
本発明によれば、コネクター要素１は、前記第２コンタクト４のための解放位置と錠止位置との間で移動し得る、第２コンタクト４のための錠止デバイス６を具備する。
【００２２】
この、第２コンタクト４用錠止及び保持デバイスは後部に向けて指向されたシャフトの形態をした要素１２から作り上げられ、かつ第２コンタクトを錠止するようにタブ２８で互いに錠止するように構成される。これらのシャフトは前部グリッド１１に結合される。こコンタクト端子３、４の先端はこのグリッドを貫通する。このグリッドは、先端の保護及びタブの解放のための前方位置と、コンタクト端子を覆い隠すセットバック位置と、の間で移動可能である。このグリッドに対して、シャフトを構成する保持要素１２はタブ２８と互いに錠止し合い、かくして第２コンタクト４を錠止する。の、第２コンタクト４のための錠止及び保持デバイスは後部に向けて導かれたシャフトの形態をした要素１２から作り上げられ、かつ第２コンタクトを錠止するようにタブ２８で互いに錠止し合うように構成される。
【００２３】
本発明の錠止デバイスの目的はコンタクトの確実な錠止を保証することである。
【００２４】
特に自動車コネクター用途では、コンタクトの不完全な挿入は何れも車両の配線中に検出されることが所望される。従って、錠止しなければならないコンタクトの１つがソケットに部分的にのみ挿入される場合、シャフト１２がグリッドの後方運動を阻止する対応するタブ２８に当接するようにグリッド１１は周知の態様で作られる。
【００２５】
同様に、第１コネクター３が部分的にのみ挿入される場合には、フラップ９を錠止位置内に押し込むことができない。
【００２６】
本発明によれば、フラップ９それ自体が錠止位置にない限りは、グリッド１１の第２コンタクト用錠止位置内への後方運動を許容しない、更なる保全性が与えられる。
【００２７】
従って、本発明は、グリッド１１のシャフト１２から作り上げられる第１錠止デバイス５が第１コンタクト３用錠止位置にないときに、フラップ９の部片から作り上げられる、第２錠止デバイス６の移動を阻止する手段７、８を提供する。
【００２８】
図３ａ、図３ｂ、図３ｃに示す移動を阻止する手段は、一方で、ハウジング２内に作られた少なくとも１つのストッパー要素７と、他方で、グリッド１１に結合され、かつソケット２１、２２の軸線に沿ってグリッドの後部に向けて導かれるアーム８を備える。ストッパー要素はアーム８の経路に位置づけられ、グリッドの後方運動を阻止することによって、第２錠止デバイス６の、解放位置から第２錠止デバイス６のための錠止位置に向かう移動に抗する。これを行うために、アーム８及びストッパー要素は対向し、互いに対して平行であり、及びグリッドの運動方向に直角な輪郭１４、２９を備える。
【００２９】
グリッドの後方運動を可能にするために、アーム８の輪郭１４をストッパー要素の輪郭２９からずらし且つ移動させることが必要である。
【００３０】
例示によれば、アーム８は曲げ易く、かつストッパー要素の相補輪郭２９と互いに錠止し合う第１輪郭１４上に設けた小突起部３１が設けられる。図３ｂに示すように、第１錠止デバイス５はその一部として肩部１６を備える。この肩部１６は、第１錠止デバイス５が第１コンタクト用錠止位置にあるときに、ストッパー要素７の少なくとも一部の正面に位置づけられ、かつアームをグリッド１１の方向に直角な方向に押圧する。従って、肩部１６は輪郭１４をずらし、かつストッパー要素を押し離す。
【００３１】
第２錠止デバイス６の自身の錠止位置に向かう運動を可能にするために、小突起部３１上で互いに錠止し合う輪郭は、アーム８が曲げられて肩部１６によって押圧されるときに、ストッパー要素７に対して摺動し得る傾斜した輪郭１５へと続く。
【００３２】
一旦、図３ｃに示すように、グリッド１１が第２コンタクト４を錠止するためにセットバック位置にあると、アーム８は再びソケットの軸線に平行な自身の位置を取り、かつ、小突起部１３の後部傾斜表面３１及びストッパー要素７の後部傾斜表面３０と協働して、グリッドを自身のセットバック位置内に引っ張る。
【００３３】
本発明によれば、グリッド１１はフラップが自身の錠止位置にあるときにのみ錠止し得る。
【００３４】
一旦、２つの錠止デバイスが正確に位置づけられると、本発明は、第２デバイスそれ自体が解錠されるときに第１デバイスの解錠を可能にするのみである。これを行うために、第２錠止デバイス６を備えるグリッドには、錠止位置において、第１錠止デバイス５の第１コンタクト３のための自身の錠止位置から自身の解放位置に向かう移動を阻止する要素が設けられる。
【００３５】
この移動を阻止する要素は、例示によれば、グリッド１１によって担持された部片１７から構成され、かつ第１錠止デバイス５を備えるフラップ９を構成する凹所１８内に受容される。
【００３６】
従って、フラップ９を自身の錠止位置から自身の解錠位置まで移動させるために、第１にグリッド１１を前方位置に戻すことが必要である。これはコンタクト用の更なる錠止保全性を供する。フラップは、コネクター要素１が図１ｂに示すような相補コネクター５０に連結されるとき及びグリッドがセットバック位置にあるときに開放し得るのみであるからである。
【００３７】
図３ａ、図３ｂ、図３ｃによれば、凹所１８はフラップの効果的保持を保証する弾性ラッチ掛け要素１９の一部を構成する。
【００３８】
本発明は上述した例示に限定されず、雌型コンタクトを受容するか又は、留意するに、他の方向に作用する錠止デバイスを備えるコネクター要素のために使用し得る。
【図面の簡単な説明】
【００３９】
【図１ａ】本発明によるコネクター要素の斜視図である。
【図１ｂ】本発明によるコネクター要素の斜視図である。
【図２】図１ａのコネクター要素に接触する受容凹所に沿った斜視断面図である。
【図３ａ】本発明による錠止デバイスを示す図１ａのコネクター要素の断面図である。
【図３ｂ】本発明による錠止デバイスを示す図１ａのコネクター要素の断面図である。
【図３ｃ】本発明による錠止デバイスを示す図１ａのコネクター要素の断面図である。
【符号の説明】
【００４０】
１  コネクター要素
２  ハウジング
３  第１コンタクト
４  第２コンタクト
５  第１デバイス
６  第２錠止デバイス
７  ストッパー要素（移動を阻止する手段）
８  アーム
９  フラップ
１０  指部
１１  グリッド
１２  シャフト
１３  小突起部
１４、１５  プロファイル
１６  肩部
１７  部片
１８  凹所
１９  ラッチ掛け要素
２１、２２  ソケット
２３  金属錠止突出部
２４  パーティション
２５  ヒンジ
２６  肩部
２７  スリット
２８  錠止タブ
２９  プロファイル
３０、３１  後部傾斜表面
５０  相補コネクター
【図１ａ】
2007517362.tif 000003
【図１ｂ】
2007517362.tif 000004
【図２】
2007517362.tif 000005
【図３ａ】
2007517362.tif 000006
【図３ｂ】
2007517362.tif 000007
【図３ｃ】
2007517362.tif 000008
【国際調査報告】
2007517362.tif 000009
2007517362.tif 000010
2007517362.tif 000011
2007517362.tif 000012